(57)【要約】      （修正有）【課題】顧客のエレベータの高精度な位置情報を、保守作業員の作業負担を増加させることなく取得し、保守点検作業の効率化を図る。【解決手段】航法衛星からの航法信号を受信し、当該航法信号を用いて、受信した携帯端末２００の位置情報を算出する位置情報算出部２１３と、位置情報の精度を示す精度情報を、位置情報の算出に用いた航法信号を用いて算出する精度算出部２１４と、携帯端末２００を携帯した保守作業員が保守点検期間中に算出した位置情報と精度情報とを用いて、保守点検期間中の最も精度の高い位置情報をエレベータの期間中最良位置情報と決定する位置情報決定部２１５と、期間中最良位置情報の中で最も精度の高い期間中最良位置情報を、エレベータの最良位置情報と決定し、管理する位置情報管理部と、を備えるエレベータシステムを提供する。【選択図】図４
2018144976.tif 000002
【特許請求の範囲】
【請求項１】
航法衛星からの航法信号を、航法信号受信機を介して受信し、当該航法信号を用いて、当該航法信号受信機を備える携帯端末の位置情報を算出する位置情報算出部と、
前記位置情報の精度を示す精度情報を、前記位置情報の算出に用いた前記航法信号を用いて算出する精度算出部と、
前記携帯端末を携帯した保守作業員がエレベータの保守点検作業を行う保守点検期間中に算出した前記位置情報と前記精度情報とを用いて、当該保守点検期間中の最も精度の高い位置情報を特定し、特定した前記位置情報を、前記エレベータの期間中最良位置情報と決定する位置情報決定部と、
前記期間中最良位置情報の中で最も精度の高い期間中最良位置情報を、前記エレベータの最良位置情報と決定し、管理する位置情報管理部と、を備えること
を特徴とするエレベータシステム。
【請求項２】
請求項１記載のエレベータシステムにおいて、
前記保守点検作業の開始の指示および当該保守点検作業の終了の指示を受け付ける受付部と、をさらに備え、
前記位置情報決定部は、前記開始の指示を受け付けた時刻と前記終了の指示を受け付けた時刻との間を、前記保守点検期間とすること
を特徴とするエレベータシステム。
【請求項３】
請求項１または２記載のエレベータシステムにおいて、
前記エレベータが設置される建物のフロアマップ上に当該エレベータの最良位置情報を重畳した表示データを生成する表示データ生成部と、
前記表示データを前記保守作業員に表示する表示部と、をさらに備えること
を特徴とするエレベータシステム。
【請求項４】
請求項３記載のエレベータシステムにおいて、
前記表示データは、前記最良位置情報の前記精度情報を含むこと
を特徴とするエレベータシステム。
【請求項５】
請求項１から４いずれか１項記載のエレベータシステムにおいて、
前記携帯端末と、
前記携帯端末とデータの送受信が可能な管理サーバと、をさらに備え、
前記携帯端末は、前記位置情報算出部と、前記精度算出部と、前記位置情報決定部と、を備え、
前記管理サーバは、前記位置情報管理部を備え、
前記携帯端末は、前記位置情報決定部が前記期間中最良位置情報を決定すると、当該期間中最良位置情報と当該期間中最良位置情報の精度情報と前記保守点検作業対象の前記エレベータを特定する情報とを前記管理サーバに送信し、
前記位置情報管理部は、前記エレベータを特定する情報を用いて、エレベータ毎に、前記最良位置情報を管理すること
を特徴とするエレベータシステム。
【請求項６】
エレベータの保守点検作業中に航法衛星からの測位信号を受信する測位信号受信機を備える携帯端末を用いて当該エレベータの位置情報を決定し記憶装置に格納する位置情報決定方法であって、
前記測位信号を受信する毎に、当該測位信号を用いて、前記携帯端末の位置情報を算出する位置情報算出ステップと、
前記位置情報を算出する毎に、当該位置情報の精度を特定する精度情報を算出する精度算出ステップと、
前記精度情報が算出される毎に、算出した前記精度情報と前記記憶装置に保持する精度情報とを比較し、算出した前記精度情報の方が、精度が高いことを示す場合、前記記憶装置に保持する位置情報および精度情報を算出した前記位置情報および前記精度情報に置き換える置き換えステップと、を備えること
を特徴とする位置情報決定方法。
【発明の詳細な説明】
【技術分野】
【０００１】
本発明は、エレベータなどの昇降機設備の位置情報を取得する技術に関する。特に、建物や敷地内に設置されるエレベータの正確な位置情報を取得する技術に関する。
【背景技術】
【０００２】
一般に、顧客のエレベータの位置情報は、ジオコーディング（住所の文字列から緯度経度を算出する機能やサービス）を使用し、取得している。
【０００３】
位置情報を得る技術として、ＧＰＳ（Ｇｌｏｂａｌ  Ｐｏｓｉｔｉｏｎｉｎｇ  Ｓｙｓｔｅｍ）衛星等の航法衛星の電波を利用した測位方式であるＧＮＳＳ（Ｇｌｏｂａｌ  Ｎａｖｉｇａｔｉｏｎ  Ｓａｔｅｌｌｉｔｅ  Ｓｙｓｔｅｍ；全地球航法衛星システム）を用いるものがある。
【０００４】
エレベータでＧＰＳ信号を利用するものとして、例えば、特許文献１に開示の技術がある。特許文献１には、「エレベータの乗りかごの上または乗りかごの周辺部に設置されているＧＰＳ受信機と乗りかご内制御装置とを有し、乗りかご内制御装置は、ＧＰＳ受信機に時刻受信指令を送信する時刻受信指令機能部と、内部時計と、内部時計の時刻を補正する時刻補正機能部を備え、ＧＰＳ受信機は時刻受信指令に基づいて標準時刻情報の受信を試行して、ＧＰＳ受信機は受信状態と受信の成功時に取得した標準時刻情報を時刻受信指令機能部に送信し、時刻補正機能部が標準時刻情報により内部時計の時刻を補正する（要約抜粋）」技術が開示される。
【先行技術文献】
【特許文献】
【０００５】
【特許文献１】特開２００９−２２０９２８号広報
【発明の概要】
【発明が解決しようとする課題】
【０００６】
ジオコーディングは、その住所が示す区域の代表的な緯度経度を返す。このため、エレベータが配置される建物や敷地が広い場合、エレベータが設置されている緯度経度と異なることがある。また、ショッピングモールや団地等、同一住所に複数の建物が配され、エレベータも広範囲に分散して設置されることがある。このような場合、各エレベータの位置はジオコーディングだけでは特定できない。このため、保守作業員は、保守点検作業時に、設備を特定するために多大な時間と労力とを要する。
【０００７】
特許文献１に開示の技術では、昇降機に取り付けられたＧＰＳ受信機でＧＰＳ信号を取得する。そして、受信感度が悪い場合、昇降機の階床を移動させてＧＰＳ受信機の電波受信環境を変え、受信環境の改善を図る。しかしながら、そもそも、本引用文献では、ＧＰＳ信号は、位置情報の算出には用いられていない。もし、この技術を、エレベータの位置情報の取得に用いる場合、保守作業員は、通常の保守点検作業とは別に、位置情報を取得するためだけに、良好な電波受信環境が得られるよう、昇降機の階床を移動させる必要がある。このため、保守作業員の負担が大きい。
【０００８】
本発明は、上記事情に鑑みてなされたもので、顧客のエレベータの高精度な位置情報を、保守作業員の作業負担を増加させることなく取得し、保守点検作業の効率化を図る技術を提供することを目的とする。
【課題を解決するための手段】
【０００９】
本発明は、航法衛星からの航法信号を、航法信号受信機を介して受信し、当該航法信号を用いて、当該方向信号受信機を備える携帯端末の位置情報を算出する位置情報算出部と、前記位置情報の精度を示す精度情報を、前記位置情報の算出に用いた前記航法信号を用いて算出する精度算出部と、前記携帯端末を携帯した保守作業員がエレベータの保守点検作業期間中に算出した前記位置情報と前記精度情報とを用いて、当該保守点検作業期間中の最も精度の高い位置情報を特定し、特定した前記位置情報を、前記エレベータの期間中最良位置情報と決定する位置情報決定部と、前記期間中最良位置情報の中で最も精度の高い期間中最良位置情報を、前記エレベータの最良位置情報と決定し、管理する位置情報管理部と、を備えることを特徴とするエレベータシステムを提供する。
【００１０】
また、本発明は、エレベータの保守点検作業中に航法衛星からの測位信号を受信する測位信号受信機を備える携帯端末を用いて当該エレベータの位置情報を決定し記憶装置に格納する位置情報決定方法であって、前記測位信号を受信する毎に、当該測位信号を用いて、前記携帯端末の位置情報を算出する位置情報算出ステップと、前記位置情報算出部が前記位置情報を算出する毎に、当該位置情報の精度を特定する精度情報を算出する精度算出ステップと、前記精度情報が算出される毎に、算出した前記精度情報と前記記憶装置に保持する精度情報とを比較し、算出した前記精度情報の方が、精度が高いことを示す場合、前記記憶装置に保持する位置情報および精度情報を算出した前記位置情報および前記精度情報に置き換える置き換えステップと、を備えることを特徴とする位置情報決定方法を提供する。
【発明の効果】
【００１１】
本発明によれば、顧客のエレベータの高精度な位置情報を、保守作業員の作業負担を増加させることなく取得でき、保守点検作業の効率化を図ることができる。なお、上述した以外の課題、構成および効果は、以下の実施形態の説明により明らかにされる。
【図面の簡単な説明】
【００１２】
【図１】（ａ）および（ｂ）は、本発明の実施形態の位置情報取得法の概要を説明するための説明図である。
【図２】本発明の実施形態のエレベータシステムの概略構成図である。
【図３】本発明の実施形態のエレベータの構成を説明するための説明図である。
【図４】（ａ）は、本発明の実施形態の保守携帯端末の機能ブロック図、（ｂ）は、本発明の実施形態の期間中最良位置データを説明するための説明図、（ｃ）は、本発明の実施形態の保守携帯端末のハードウェア構成図である。
【図５】（ａ）は、本発明の実施形態の管理サーバの機能ブロック図、（ｂ）は、本発明の実施形態の管理サーバのハードウェア構成図である。
【図６】（ａ）〜（ｄ）は、本発明の実施形態の表示データ例を説明するための説明図である。
【図７】本発明の実施形態の最良位置取得処理のフローチャートである。
【発明を実施するための形態】
【００１３】
以下、本発明の実施形態について、図面を用いて説明する。本明細書において、同一機能を有するものは、特に断らない限り同一の符号を付し、繰り返しの説明は省略する。なお、この実施形態によりこの発明が限定されるものではない。また、下記実施形態における構成要素には、当業者が置換可能かつ容易なもの、あるいは、実質的に同一のものが含まれる。
【００１４】
本実施形態では、保守作業員の保守携帯端末にＧＮＳＳを用いた位置情報取得機能を設ける。そして、顧客設備の保守点検作業中、保守作業員は、顧客設備（エレベータ）の近傍にいることを利用し、この間に、ＧＮＳＳで得た位置情報を、顧客設備の位置情報とする。
【００１５】
ＧＮＳＳでは、複数の航法衛星から得た測位信号を用いた衛星測位により、緯度経度を算出し、機器の位置情報とする。このとき、測距対象の機器に対する各航法衛星の配置や受信信号数は、時々刻々と変化し、それに伴い、算出される位置情報の精度が変わる。
【００１６】
本実施形態では、エレベータの保守点検作業中、保守作業員は、所定の時間間隔で受信した航法衛星からの航法信号を用いて位置情報を算出し続ける。このとき、併せて、当該位置情報の精度を算出する。そして、作業中に算出した位置情報のうち、最も精度の高い位置情報を、当該作業中に得た作業対象のエレベータの位置情報とする。
【００１７】
以下、本実施形態では、航法衛星としてＧＰＳ衛星を用い、精度情報として、ＧＰＳ信号から算出される既知のＤＯＰ（Ｄｉｌｕｔｉｏｎ  Ｏｆ  Ｐｒｅｃｉｓｉｏｎ：精度低下率）を用いる場合を例にあげて説明する。しかしながら、用いる航法衛星は、これに限定されない。例えば、ＧＬＯＮＡＳＳ、Ｇａｌｉｌｅｏ、準天頂衛星（ＱＺＳＳ）等の衛星測位システムや、これらの組み合わせであってもよい。
【００１８】
なお、ＤＯＰは、測位精度の低下率を表す値であり、受信できたＧＰＳ衛星の幾何学的な配置位置から算出される。ＤＯＰは、概ね、受信できたＧＰＳ信号数に比例し、測位精度が良いほど、小さい値が算出される。例えば、建物内など、ＧＰＳ信号の受信環境が悪いほど、大きな値が算出される。
【００１９】
［位置情報決定手法の概要］
本実施形態の構成の説明に先立ち、建物１９０内に配置されるエレベータ１００の保守点検作業を行う保守作業員２０１の動きと、ＤＯＰの値の変化の様子の一例を、図１（ａ）と図１（ｂ）とを用いて説明する。なお、本実施形態では、例えば、ショッピングモールや団地のような、広い敷地内に複数のエレベータ１００が複数配置されているような状況を前提にしている。ここでは、広い面積を有する建物１９０内にエレベータ１００が設置されている場合を例にあげて説明する。
【００２０】
保守作業員２０１は、ＧＰＳ信号を受信可能な、ＧＰＳ受信機を備えた保守携帯端末２００を携帯する。保守作業員２０１は、保守携帯端末２００を携え、建物１９０の外から建物１９０に入り（エリアＡ）、エレベータ１００までアクセスし（エリアＢ）、保守点検作業を行う（エリアＣ）。保守点検作業中、エレベータ１００に搭乗し、上下動させる。そして、保守点検作業を終えると、建物１９０外に出ていく（エリアＤ、Ｅ）。
【００２１】
このような保守作業員２０１の水平方向の移動に伴い、電波の受信状況が変化し、図１（ｂ）に示すようにＤＯＰは変化する。また、保守作業員２０１がエリアＣで保守点検作業中であっても、垂直方向に移動するため、ＤＯＰは変化する。
【００２２】
本実施形態は、保守点検作業中、すなわち、図１（ｂ）の場合、保守作業員２０１が、エリアＣにいる間に算出したＤＯＰの中で、最良のＤＯＰを示す時刻ＴＡで取得した位置情報を、エレベータ１００の位置情報とする。
【００２３】
［全体構成］
まず、これを実現する、本実施形態のエレベータシステム４００の全体構成を説明する。図２は、本実施形態のエレベータシステム４００の概略構成図である。
【００２４】
本図に示すように、本実施形態のエレベータシステム４００は、エレベータ１００と、保守携帯端末２００と、管理サーバ３００とを備える。その他、エレベータ１００の状態を遠隔で監視する遠隔監視サーバ等を備えていてもよい。また、管理サーバ３００が遠隔監視サーバの機能を備えていてもよい。エレベータ１００と、保守携帯端末２００と、管理サーバ３００とは、ネットワーク５００を介して接続され、情報の送受信が可能である。
【００２５】
なお、図２では、７機のエレベータ１００が設置される場合を例示しているが、エレベータ１００の数はこれに限定されない。１の住所を有する建物１９０内に１機以上のエレベータ１００が設置されていればよい。
【００２６】
［エレベータ］
エレベータ１００を、図３を用いて説明する。ここでは、一例として建物１９０が５階建ての場合を例示する。
【００２７】
本実施形態のエレベータ１００は、乗りかご１０１と、図示しない綱車を駆動させるモータ１０２と、反らせ車１０３と、主ロープ１０４と、吊り合い重り１０５と、図示しない通信線にてエレベータ１００全体の動作を制御する制御装置１０８と、エレベータ１００と外部装置との間で、図示しない通信線を介して情報を送受信する通信装置１０７と、を備える。制御装置１０８は、例えば、乗りかご１０１の昇降動作や乗りかご１０１の扉の開閉を制御するとともに、保守点検に必要な運行ログ等を収集、保持する。制御装置１０８と通信装置１０７とは、例えば、エレベータ１００毎に設けられる機械室等に備えられる。
【００２８】
なお、制御装置１０８とエレベータ１００の各部との間の通信線および通信装置１０７と外部装置との間の通信線は、有線、無線を問わない。外部装置との間の通信は、ネットワーク５００を介したものであってもよい。
【００２９】
保守作業員２０１は、保守携帯端末２００を携帯し、保守点検対象のエレベータ１００の近傍、エレベータ１００内、あるいは、エレベータ１００の機械室内等で、乗りかご１０１を上下させながら、保守点検作業を行う。
【００３０】
［保守携帯端末］
次に、保守携帯端末２００について説明する。保守携帯端末２００は、エレベータ１００の保守点検を行う保守作業員２０１が携行する。保守携帯端末２００は、エレベータ１００、管理サーバ３００と情報の送受信を行い、保守点検に必要な情報、例えば、故障内容や運転状況を確認するための情報を送受信する。保守作業員２０１は、保守携帯端末２００を用いて、保守作業に必要な情報の閲覧や作業内容の入力などを行う。また、管理サーバ３００に対し、保守作業開始、終了の通知を行う。
【００３１】
さらに、本実施形態では、保守携帯端末２００は、保守点検作業期間中の、当該端末の、最も精度の高い位置情報を期間中最良位置情報として決定し、管理サーバ３００に送信する。
【００３２】
以下、本実施形態の保守携帯端末２００について、期間中最良位置情報を決定する機能を実現する構成に主眼をおいて説明する。図４（ａ）に示すように、本実施形態の保守携帯端末２００は、ユーザインタフェース（Ｉ／Ｆ）２１１と、ＧＰＳ受信部２１２と、位置情報算出部２１３と、ＤＯＰ算出部２１４と、位置情報決定部２１５と、一時格納部２１６と、情報格納部２１７と、通信インタフェース２１８と、を備える。
【００３３】
ユーザインタフェース２１１は、ユーザ（ここでは、保守作業員２０１）からの入力を受け付ける受付部として機能するとともに、処理内容をユーザに提示する。例えば、タッチ入力可能なディスプレイ等で構成される。
【００３４】
本実施形態では、ユーザインタフェース２１１は、後述するように、保守作業員２０１が保守点検作業を開始した際、保守作業対象のエレベータ１００の号機を特定する情報（号機ＩＤ）と開始したことを示す情報（開始指示）を受け付け、終了した際、終了したことを示す情報（終了指示）を受け付ける。また、作業中、作業に必要な情報をユーザに提示するとともに、作業情報の入力を受け付ける。
【００３５】
ユーザインタフェース２１１に表示する情報は、例えば、情報格納部２１７から受信する。また、ユーザから入力された情報は、位置情報決定部２１５および情報格納部２１７へ送信される。
【００３６】
ＧＰＳ受信部２１２は、所定の時間間隔で送信されるＧＰＳ信号を受信する。受信したＧＰＳ信号は、位置情報算出部２１３と、ＤＯＰ算出部２１４とに出力される。ＧＰＳ信号には、送信元のＧＰＳ衛星を特定するＧＰＳ衛星情報、および、当該信号を送信した時刻情報が含まれる。
【００３７】
位置情報算出部２１３は、ＧＰＳ受信部２１２でＧＰＳ信号を受信する毎に、当該ＧＰＳ信号を用いて位置情報を算出する。算出する位置情報は、例えば、保守携帯端末２００の緯度経度である。算出結果は、算出元のＧＰＳ信号に含まれる時刻情報とともに、位置情報決定部２１５に出力される。位置情報は、同一タイミングで受信した複数のＧＰＳ衛星からのＧＰＳ信号を用いて、周知の手法で、算出される。
【００３８】
ＤＯＰ算出部２１４は、ＧＰＳ受信部２１２で受信したＧＰＳ信号から、位置情報算出部２１３が算出した位置情報の精度の低下率を示すＤＯＰを算出する。算出結果は、位置情報決定部２１５に出力される。ＤＯＰも、周知の手法で算出される。なお、ＤＯＰの算出は、後述する位置情報決定部２１５が保守点検作業中と決定した期間のみとしてもよい。
【００３９】
位置情報決定部２１５は、予め定めた期間中の最も精度の高い位置情報を、保守作業対象のエレベータ１００の期間中最良位置情報と決定する。本実施形態では、保守携帯端末２００を携帯する保守作業員２０１が、当該エレベータ１００の近傍にいる期間、すなわち、保守点検作業を行う期間を、予め定めた期間とする。これは、上述のように、保守点検作業中、保守作業員２０１は、保守作業対象のエレベータ１００の近傍で作業を行うためである。
【００４０】
このため、本実施形態では、位置情報決定部２１５は、保守点検作業中に算出された位置情報と当該位置情報の精度（ＤＯＰ）とを用いて、期間中最良位置情報を決定する。決定した期間中最良位置情報は、情報格納部２１７に格納する。
【００４１】
例えば、位置情報決定部２１５は、その時点までの最も精度の高い位置情報とそのＤＯＰとを一時格納部２１６に格納し、より高い精度の位置情報を受け取る毎に、一時格納部２１６の格納情報を更新する。更新するか否かは、新たに受信したＤＯＰと、一時格納部２１６に格納されるＤＯＰとを比較することにより決定する。すなわち、新たに受信したＤＯＰの方が、格納されるＤＯＰより小さい場合、更新する。期間中最良位置情報を決定する期間中最良位置情報決定処理の詳細は、後述する。
【００４２】
なお、保守点検作業中であるか否かは、本実施形態の位置情報決定部２１５は、ユーザインタフェース２１１から入力された開始指示および終了指示に基づいて判別する。また、保守点検作業対象のエレベータ１００も、開始指示とともに入力される号機ＩＤで特定する。これらは、通常の保守点検作業において入力される情報である。従って、本実施形態では、保守作業員２０１は、エレベータ１００の位置情報取得のために、特別な操作をする必要はない。
【００４３】
なお、保守点検作業中であるか否かの判別は、この手法に限定されない。例えば、保守点検作業中は、エレベータ１００の運転モードを、通常運転モードから保守点検作業モードに変更する。位置情報決定部２１５は、このような運転モードの変更に基づいて、判断してもよい。
【００４４】
情報格納部２１７は、保守点検作業に必要な各種の情報を保持する。本実施形態では、上述のように、期間中最良位置情報とそのＤＯＰとを保持し、保守作業員２０１からの指示に従って、あるいは、予め定めたタイミングで、通信インタフェース２１８を介して、管理サーバ３００へ出力する。
【００４５】
通信インタフェース２１８は、管理サーバ３００およびエレベータ１００の通信装置１０７と情報の送受信を行う。本実施形態では、期間中最良位置情報を含む期間中最良位置データを送信する。なお、情報の送受信は、有線であっても、無線であってもよい。インターネット等のネットワークを経由してもよい。
【００４６】
ここで、期間中最良位置データ２５０として、送信されるデータの構造の一例を図４（ｂ）に示す。期間中最良位置データ２５０は、図４（ｂ）に示すように、例えば、建物１９０の識別情報である建物ＩＤ２５１と、号機ＩＤ２５２と、期間中最良位置情報の算出元となったＧＰＳ信号の時刻情報２５３と、期間中最良位置情報２５４と、そのＤＯＰ２５５とを備える。
【００４７】
本実施形態の保守携帯端末２００は、例えば、スマートフォン、タブレット等の可搬型の携帯端末で実現できる。具体的には、図４（ｃ）に示すように、各種の演算を行うＣＰＵ２３１と、ＲＡＭ等で構成されるメモリ２３２と、ハードディスクドライブ、ＲＯＭ等で構成される記憶装置２３３と、タッチ入力可能なディスプレイで構成されるユーザインタフェース（Ｉ／Ｆ）２３４と、通信インタフェース（Ｉ／Ｆ）２３５と、ＧＰＳ受信機２３６と、を備える。
【００４８】
上述した保守携帯端末２００の各機能は、記憶装置２３３などに記憶されたプログラムを、ＣＰＵ２３１がメモリ２３２にロードして実行することにより実現される。なお、全部または一部の機能は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（ｆｉｅｌｄ−ｐｒｏｇｒａｍｍａｂｌｅ  ｇａｔｅ  ａｒｒａｙ）、回路などのハードウェアによって実現されてもよい。
【００４９】
また、各機能の処理に用いる各種のデータ、処理中に生成される各種のデータは、メモリ、または、記憶装置２３３に格納される。情報格納部２１７は、記憶装置２３３に構築される。また、一時格納部２１６は、メモリ２３２に構築される。
【００５０】
［管理サーバ］
次に、管理サーバ３００について説明する。管理サーバ３００は、エレベータ１００の管理会社、保守拠点等に配置される。管理サーバ３００は、エレベータ１００の保守点検に関する各種の情報を保持し、保守作業員２０１に提供する。
【００５１】
保守作業員２０１は、エレベータ１００の保守点検に行く際、管理サーバ３００にて管理される当該エレベータ１００の保守点検に必要な各種の情報を、保守携帯端末２００に複製して携帯する。あるいは、現場に到着後、保守携帯端末２００を用いて、管理サーバ３００と通信し、保守点検に必要な情報を得る。
【００５２】
また、本実施形態では、エレベータ１００から送信される期間中最良位置情報の中から、最も精度の高いものを、当該エレベータ１００の最良位置情報と決定し、エレベータ毎に管理する。そして、保守作業員２０１等のユーザの求めに応じて、最良位置情報を提示する。
【００５３】
この機能を実現するため、本実施形態の管理サーバ３００は、図５（ａ）に示すように、位置情報管理部３１０と、表示データ生成部３２０と、表示部３３０と、操作部３４０と、通信Ｉ／Ｆ３５０と、データベース３６０とを備える。また、データベース３６０は、建物情報３６１と、エレベータ情報３６２とを備える。
【００５４】
建物情報３６１として、管理サーバ３００が管理する各エレベータ１００が設置される各建物１９０のさまざまな情報が保持される。本実施形態では、例えば、住所、住所で特定される位置情報（緯度経度）、フロアマップ等が保持される。なお、ジオコーディングによる緯度経度算出位置は、例えば、主玄関位置等、フロアマップ上で特定可能とする。
【００５５】
エレベータ情報３６２は、管理サーバ３００が管理する各エレベータ１００の、保守点検に関連する各種の情報である。本実施形態では、エレベータ１００から送信される期間中最良位置データ２５０から生成されるエレベータ１００の最良位置情報を含む。なお、最良位置情報は、期間中最良位置データ２５０に含まれる各情報、すなわち、建物ＩＤ２５１、号機ＩＤ２５２、時刻情報２５３、ＤＯＰ２５５とともに管理される。
【００５６】
本実施形態の位置情報管理部３１０は、エレベータ１００の最良位置情報を決定し、エレベータ情報３６２に格納することにより、管理する。保守点検作業が終了する毎にエレベータ１００から送信される期間中最良位置データ２５０の中で最も精度の高い期間中最良位置情報が、最良位置情報と決定される。
【００５７】
例えば、通信Ｉ／Ｆ３５０を介して、保守携帯端末２００から、期間中最良位置データ２５０を受信すると、そのＤＯＰ２５５を、エレベータ情報３６２に当該エレベータ１００に対応づけて保持されている最良位置情報のＤＯＰと比較し、より精度の高い方のデータを当該エレベータ１００の最良位置情報として格納する。
【００５８】
なお、本実施形態では、上述のように、エレベータ１００の位置情報として、当初、ジオコーディングにより得た値を使用する。従って、最良位置情報の初期値として、エレベータ１００が設置される建物１９０の住所で特定される緯度経度が格納される。この場合、ＤＯＰは、最も精度が悪いことを示す値（例えば、１）が格納される。
【００５９】
これにより、管理サーバ３００では、保守携帯端末２００から、期間中最良位置データ２５０を受信する毎に、その時点で最も精度のよい位置情報をエレベータ１００の最良位置情報として保持することができる。すなわち、保守作業員２０１が、エレベータ１００の保守点検作業をする毎に、新たな期間中最良位置データ２５０を得、それを用いて、保持するエレベータ１００の位置情報を向上させる。
【００６０】
表示データ生成部３２０は、操作部３４０を介してユーザからの指示を受け、データベース３６０に保持するデータを用い、ユーザの要求に応じた表示データを生成する。生成した表示データは、表示部３３０に出力される。
【００６１】
本実施形態では、例えば、保守作業員２０１から、エレベータ１００の位置情報の提示の指示を受け付けると、エレベータ１００が設置される建物１９０のフロアマップ上にエレベータ１００の位置を識別可能に示す表示データを生成する。
【００６２】
保守作業員２０１は、このとき、エレベータ１００を特定する情報（建物ＩＤおよび号機ＩＤ等）を入力する。表示データ生成部３２０は、建物情報３６１にアクセスし、建物ＩＤを用いて、エレベータ１００が設置される建物１９０のフロアマップと、フロアマップ上の特定の位置の緯度経度と、を取得する。また、エレベータ情報３６２にアクセスし、号機ＩＤを用いて、指定されたエレベータ１００の最良位置情報を取得する。
【００６３】
このとき生成される表示データ６００の例を図６（ａ）に示す。建物１９０内に、複数のエレベータ１００がある場合、フロアマップ１９１上で、指定されたエレベータ１００ａが識別可能となるよう表示データ６００を生成する。識別可能とする手段は、例えば、表示色を変える、マークを付す等である。このとき、建物１９０のエントランスからのアクセス経路を重畳してもよい。
【００６４】
表示部３３０は、生成された表示データ６００を、ディスプレイ等の表示装置に表示する。
【００６５】
本実施形態の管理サーバ３００は、例えば、汎用の情報処理装置等で実現される。具体的には、図５（ｂ）に示すように、各種の演算を行うＣＰＵ３７１と、ＲＡＭ等で構成されるメモリ３７２と、ハードディスクドライブ、ＲＯＭ等で構成される記憶装置３７３と、ディスプレイ等の表示装置、キーボード、マウス等の操作装置で構成されるユーザインタフェース（Ｉ／Ｆ）３７４と、通信インタフェース（Ｉ／Ｆ）３７５と、を備える。
【００６６】
上述した管理サーバ３００の各機能は、記憶装置３７３などに記憶されたプログラムを、ＣＰＵ３７１がメモリ３７２にロードして実行することにより実現される。なお、全部または一部の機能は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（ｆｉｅｌｄ−ｐｒｏｇｒａｍｍａｂｌｅ  ｇａｔｅ  ａｒｒａｙ）、回路などのハードウェアによって実現されてもよい。
【００６７】
また、各機能の処理に用いる各種のデータ、処理中に生成される各種のデータは、メモリ３７２、または、記憶装置３７３に格納される。データベース３６０は、記憶装置３７３に構築される。
【００６８】
次に、位置情報決定部２１５による期間中最良位置決定処理を含む、保守携帯端末２００による、期間中最良位置を取得する処理の流れを説明する。図７は、本実施形態の最良位置取得処理の処理フローである。本実施形態では、保守作業員２０１が、保守点検開始の指示の入力を契機に開始する。
【００６９】
まず、位置情報決定部２１５は、保守点検作業中であるか否かを判別する（ステップＳ１１０１）。ここでは、保守点検終了の指示を受け付けたか否かにより、保守点検作業中であるか否かを判別する。
【００７０】
保守点検作業中の場合（ステップＳ１１０１：Ｙｅｓ）、ＧＰＳ受信部２１２において、ＧＰＳ信号を受信すると（ステップＳ１１０２）、位置情報算出部２１３は、受信したＧＰＳ信号を用い、位置情報を算出し、ＤＯＰ算出部２１４は、ＧＰＳ信号を用い、ＤＯＰを算出する（ステップＳ１１０３）。算出した位置情報およびＤＯＰは、算出に用いたＧＰＳ信号の時刻情報とともに位置データとして、位置情報決定部２１５に出力される。
【００７１】
位置情報決定部２１５は、位置データを受け取ると、その位置データ内のＤＯＰ（算出ＤＯＰ）が、一時格納部２１６に格納されている位置情報データのＤＯＰ（格納ＤＯＰ）より小さいか否かを判別する（ステップＳ１１０４）。ＤＯＰが小さいほど、付帯する位置情報がより高精度であることを示す。
【００７２】
算出ＤＯＰの方が格納ＤＯＰより小さい場合（ステップＳ１１０４；Ｙｅｓ）、位置情報決定部２１５は、受け取った位置データを一時格納部２１６に上書き格納し（ステップＳ１１０５）、ステップＳ１１０１へ戻る。
【００７３】
一方、算出ＤＯＰの方が大きい場合（ステップＳ１１０４：Ｎｏ）、位置情報決定部２１５は、そのままステップＳ１１０１へ戻る。すなわち、既に格納されている位置データをそのまま格納しておき、新たに受け取った位置データは、例えば、破棄する。
【００７４】
ステップＳ１１０１において、保守点検作業中でない、すなわち、保守点検終了の指示を受け付けた場合、位置情報決定部２１５は、その時点で一時格納部２１６に格納されている位置データに含まれる位置情報を、期間中最良位置情報と決定する。そして、その位置データを、情報格納部２１７に格納するとともに、期間中最良位置データ２５０として、通信インタフェース２１８を介して、管理サーバ３００へ送信する（ステップＳ１１０６）。そして、処理を終了する。
【００７５】
なお、上記処理フローでは、位置情報を取得し、ＤＯＰを算出する毎に、一時格納部２１６に格納されている位置データと比較し、より精度の高い位置データのみを残すよう構成しているが、この手法に限定されない。
【００７６】
例えば、保守点検作業中、算出された全ての位置情報、ＤＯＰおよび取得時刻を位置データとして一時格納部２１６に保持し、保守点検作業終了後、その中から、最も精度のよい位置データに含まれる位置情報を、期間中最良位置情報と決定するよう構成してもよい。
【００７７】
また、位置情報決定部２１５は、保守作業員２０１による、保守点検作業の開始および終了の指示、あるいは、運転モードの変化を用いて、保守点検作業期間、すなわち、位置情報を収集し、判別する期間を判別しているが、これに限定されない。
【００７８】
例えば、予め定められた保守作業員２０１の、保守作業スケジュールを用いてもよい。ＧＰＳ受信機２３６を備える保守携帯端末２００を携行する保守作業員２０１が、エレベータ１００の近傍にいる期間を特定できれば、どのような手法を用いてもよい。
【００７９】
さらに、上記実施形態では、期間中最良位置情報を、保守携帯端末２００で決定するよう構成しているが、これに限定されない。例えば、保守作業期間中の、全位置データを管理サーバ３００に送信し、管理サーバ３００側で、期間中最良位置情報を決定するよう構成してもよい。
【００８０】
また、管理サーバ３００側で、保守点検作業中の全ての位置データを受け取る場合、期間中最良位置情報を決定することなく、直接最良位置情報を決定するよう構成してもよい。
【００８１】
さらに、保守点検作業中の位置データだけでなく、保守携帯端末２００起動後の全ての位置データを管理サーバ３００側に送信し、管理サーバ３００側で、処理対象の期間、すなわち、保守作業期間を特定するよう構成してもよい。
【００８２】
また、表示データ生成部３２０が生成する表示データは、最良位置情報の精度（ＤＯＰ）を含んでもよい。ＤＯＰは、例えば、図６（ｂ）〜図６（ｄ）に示すように、確度円１９２等で示してもよい。すなわち、エレベータ１００の位置情報に、そのＤＯＰを、半径とする円を確度円１９２として、さらに重畳する。
【００８３】
本実施形態では、保守作業員２０１が、同じエレベータ１００の保守点検作業を行う回数が増加すると、その分、当該エレベータ１００の位置情報の精度も向上する可能性が高い。従って、図６（ｂ）に示すように、当初、建物１９０のフロアマップ１９１内で、エレベータ１００の位置は特定できない。しかし、保守点検作業を繰り返すごとに、より精度の高い位置情報が得られ、図６（ｃ）、図６（ｄ）に示すように、確度円１９２の半径が小さくなる。
【００８４】
これらの表示データは、保守携帯端末２００に送信され、保守携帯端末２００のユーザインタフェース２１１に表示されてもよい。
【００８５】
以上説明したように、本実施形態のエレベータシステムは、航法衛星からの航法信号を、航法信号受信機を介して受信し、当該航法信号を用いて、当該方向信号受信機を備える保守携帯端末２００の位置情報を算出する位置情報算出部２１３と、位置情報の精度を示す精度情報を、前記位置情報の算出に用いた前記航法信号を用いて算出する精度（ＤＯＰ）算出部２１４と、保守携帯端末２００を携帯した保守作業員２０１がエレベータ１００の保守点検作業期間中に算出した前記位置情報と前記精度情報とを用いて、当該保守点検作業期間中の最も精度の高い位置情報を特定し、特定した前記位置情報を、前記エレベータ１００の期間中最良位置情報として決定する位置情報決定部２１５と、前記期間中最良位置情報の中で最も精度の高い期間中最良位置情報を、前記エレベータ１００の最良位置情報と決定し、管理する位置情報管理部３１０と、を備える。
【００８６】
このように、本実施形態によれば、保守点検作業中に、ＧＰＳ信号の受信環境が最も良い状態で受信したＧＰＳ信号を用いて算出した保守携帯端末２００の位置情報を、自動的に、当該保守点検期間中の、そのエレベータ１００の位置情報とする。これにより、エレベータ１００にＧＰＳ受信機を設置したり、エレベータ１００を操作して、良好な受信環境を探索したり等の新たな設備負担や作業負担無しに、ジオコーディングでの取得に比べ、エレベータ１００のより正確な位置情報を得ることができる。
【００８７】
これにより、管理者および保守作業員は、保守点検対象のエレベータを容易に特定できるとともに、アクセスもしやすくなる。このため、保守点検作業効率が向上する。
【００８８】
さらに、本実施形態によれば、保守作業員２０１が、通常の保守点検作業のために行う、保守点検作業開始の指示および終了の指示を用い、保守点検作業期間を特定する。このため、保守作業員２０１は、エレベータ１００の位置情報を収集する期間を設定するために、通常と異なる操作を行う必要がない。
【００８９】
このように、本実施形態によれば、新たな設備増や保守作業員２０１の作業負担増無しに、エレベータ１００の高精度な位置情報を取得できる。これにより、巡回計画の作成精度や出動指示の精度を高めることができる。
【００９０】
また、本実施形態によれば、得られた高精度な位置情報を、例えば、建物のフロアマップに重畳する等、ユーザフレンドりな態様で、ユーザに提供できる。これにより、保守作業員２０１は、広大な建物や広大な敷地内にエレベータ１００が配置されている場合であっても、エレベータ１００を容易に特定でき、かつ、容易にアクセスできる。また、管理者は、緊急の場合、当該フロアマップに重畳された位置情報を見ながら、現場の保守作業員２０１に、建物や敷地の入り口から、作業対象のエレベータまでのルートを説明することができる。
【００９１】
さらに、このとき、位置情報の精度を示す情報をさらに提示することにより、ユーザは、直感的に位置情報の精度も把握できる。
【００９２】
このように、本実施形態によれば、保守点検作業の効率化を図ることができる。
【符号の説明】
【００９３】
１００：エレベータ、１００ａ：エレベータ、１０１：乗りかご、１０２：モータ、１０３：反らせ車、１０４：主ロープ、１０５：吊り合い重り、１０７：通信装置、１０８：制御装置、１９０：建物、１９１：フロアマップ、１９２：確度円、
２００：保守携帯端末、２０１：保守作業員、２１１：ユーザインタフェース（ユーザＩ／Ｆ）、２１２：ＧＰＳ受信部、２１３：位置情報算出部、２１４：ＤＯＰ算出部、２１５：位置情報決定部、２１６：一時格納部、２１７：情報格納部、２１８：通信インタフェース（通信Ｉ／Ｆ）、２３１：ＣＰＵ、２３２：メモリ、２３３：記憶装置、２３４：ユーザＩ／Ｆ、２３５：通信Ｉ／Ｆ、２３６：ＧＰＳ受信機、２５０：期間中最良位置データ、２５１：建物ＩＤ、２５２：号機ＩＤ、２５３：時刻情報、２５４：期間中最良位置情報、２５５：ＤＯＰ、
３００：管理サーバ、３１０：位置情報管理部、３２０：表示データ生成部、３３０：表示部、３４０：操作部、３５０：通信Ｉ／Ｆ、３６０：データベース、３６１：建物情報、３６２：エレベータ情報、３７１：ＣＰＵ、３７２：メモリ、３７３：記憶装置、３７４：ユーザＩ／Ｆ、３７５：通信Ｉ／Ｆ、
４００：エレベータシステム、５００：ネットワーク、６００：表示データ
【図１】
2018144976.tif 000003
【図２】
2018144976.tif 000004
【図３】
2018144976.tif 000005
【図４】
2018144976.tif 000006
【図５】
2018144976.tif 000007
【図６】
2018144976.tif 000008
【図７】
2018144976.tif 000009